Podtech/llm-jp-corpus-v4-ja_patent huggingface dataset:
(57)【要約】      （修正有）【課題】主にお膳に置く箸置きに関するものであって、ちょっと気のきいた箸置きを提供するものである。【解決手段】お膳の狭い空間に、箸置き又は箸枕として役に立つ、甘み菓子を内蔵した箸置きを作り、食べられる箸置きとした。天地を逆さにして箸置きとして使い、羊羹を食べる時には開放部がわのシールをはがして、羊羹を食べてから、又箸置きとして使える物である、【選択図】図２
2018000881.tif 000002
【特許請求の範囲】
中間に箸を置くための窪み（５）を持たせ、内部周辺に抜き勾配をつけて底部を開放した略長方形の容器本体（１）に羊羹（２）を充填し、抓み部（４）を持つシール（３）を接着密閉した、甘み菓子を内蔵した箸置き。
【発明の詳細な説明】
【技術分野】
【０００１】  箸置きであって、箸枕とも云う。
【背景技術】
【０００２】  箸使いを休める時に、テーブルに直かに箸を置かずに、箸先をテーブルから浮かせて衛生的にする箸置きであって、箸袋を折って箸置きにしたり陶器製の物で作ったり色々各自で工夫しながら食事をたのしんでいたのである。
【先行技術文献】
【０００３】  実用新案登録第３０７１３８３等がある。
【発明の概要】
【発明が解決しようとする課題】
【０００４】  主にお膳料理に使う箸置きであるが、栄養価は勿論、美観とか体裁も大事であるお膳に於いて、単に箸置きはどちらかと言うと装飾的なものになってしまう。そのため美観を求めて陶器であるとか、紙製であるとか衛生に留意した物で作られていた。
【発明が解決するための手段】
【０００５】  本発明は、狭いお膳の空間において必需品である箸置きに甘み菓子機能を持たせたものである。それは美味しい物をたくさんたべた後に、もう一口、たったひとくち甘いものが欲しいという欲求が生まれるからである。
【０００６】  そのため、別に干菓子や、生菓子や、甘みの強い果物がデザートとして用意されていた。
【０００７】  それを解決するために、狭いお膳の空間に甘みの菓子が一品増えるのであるから、それを増やさないで、必需品である箸置きでそれが行えるので、お膳の空間が非常に節約できる。それは味覚として羊羹とかゼリーが、甘みの程度が、ちょうどよいと云うことが判ったのである。
【０００８】  そこで、羊羹の容器があって、その容器そのものが箸置きになって居て、その中に羊羹とかゼリーを入れ、丁度、箸置きの底辺にシールを蓋のように接着密閉し、お膳に出すまで衛生的に保存するように作られている。
【発明の効果】
【０００９】  工場にて作られた容器に入った羊羹を、それぞれのお膳に配分し最後に容器のシールをめくると羊羹を取り出せて、食べる事が出来て、満足するのである。その外、このものは単独で商品になって、表面に寿とか、お祝いとか文字を入れても良い。また（羊羹ｄｅ食べてネ）とかユーモアのある文字を入れても良い。
【図面の簡単な説明】
【００１０】
【図１】は本発明の全体斜視図
【図２】は断面図
【図３】は従来の箸置きの１例を示す
【発明を実施する為の形態】
【００１１】  固形の羊羹そのものではなく、プラスチックで出来た容器に入れて、シールの蓋を接着し密閉する。そのシールをめくりやすくするために、本体の大きさよりはみ出した抓み部を作る、その羊羹を食べるときは天地を逆にして、抓み部を持ってシールをはがす、そして箸とか、つま楊枝で羊羹をたべるのである。
【００１２】  その容器は次の様な構成になっている、内側の周囲は全体に適当な抜き勾配が付いている、この勾配は中身を取り出しやすくする為である、中身の羊羹を食べ終わったら、容器を天地を逆にして元の所に置けば、その空の容器がまた箸置きになるのである。
【００１３】  またこの発明品は使用者にとって箸置き、箸枕を、食べられるということもあり意外性もあって喜ばれること請け合いである。
【符号の説明】
【００１４】符号１は本体
符号２は羊羹またはゼリー
符号３はシールの蓋
符号４はシールの抓み部
符号５は箸を置くための窪み
【図１】
2018000881.tif 000003
【図２】
2018000881.tif 000004
【図３】
2018000881.tif 000005
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
中間に箸を置くための窪み（５）を持たせ、内部周辺に抜き勾配をつけて底部を開放した略長方形の容器本体（１）に羊羹（２）を充填し、抓み部（４）を持つシール（３）を本体の底部に接着密閉した、甘み菓子を内蔵した箸置き。
(57)【要約】【課題】  タオルの一端をタオルの他端に設けた孔に通すことによってずれ落ちを防止していたので、使用時には、タオルの一端を孔に通したり、ほどいたりして使うため、農作業などの時にはタオルが土で汚れることがあった。また顔の汗をすぐに拭うことが困難であるという課題があった。【解決手段】  タオル１１の長手方向に対向する両端からタオル中央部５に向かって分割した形状とし、分割された左上タオル端部１、左下タオル端部２のどちらか一つと右上タオル端部３、右下タオル端部４のどちらか一つを、シャツの胸元側に入れる構成とした。これにより簡単にずれ落ち防止策を図ることができ、胸元の汗も吸い取れ、首以外の顔などの汗も拭きやすくなった。【選択図】図１
2018000887.tif 000002
【特許請求の範囲】
【請求項１】
タオルが首からずれ落ることを防止するタオルであって、
タオル長手方向の右端から中央方向に向かうタオル右切込部と、
タオル長手方向の左端から中央方向に向かい、前記タオル右切込部の左側に位置するタオル左切込部と、を有し、
前記タオル右切込部により切り込まれた一方、および前記タオル左切込部により切り込まれた一方を胸元側に入れて使用することを特徴とするタオル。
【発明の詳細な説明】
【技術分野】
【０００１】  本発明は、ずれ落ち防止を図ったタオルに関する。
【背景技術】
【０００２】  従来のタオルは、図５に示すように、タオル２０の一端を他の一端に設けた貫通孔２１に通して首に巻くものがあった（例えば、特許文献１参照）。ここで、図５は従来の汗拭きタオルの使用方法を示す説明図である。
【先行技術文献】
【特許文献】
【０００３】
【特許文献１】  特開２００４−４９８５７号公報
【発明の概要】
【発明が解決しようとする課題】
【０００４】  従来の汗拭きタオルでも、タオルの一端をタオルの他端に設けた孔に通すことによってずれ落ちを防止することができるが、従来の汗拭きタオルでは、タオルの一端をタオルの他端の孔に通したり、ほどいたりして使用するため、農作業などの時にはタオルが土で汚れることがあった。また顔の汗をすぐに拭うことが困難であるという課題があった。【０００５】  本発明は、このような従来の構成が有していた問題を解決するためになされたもので、農作業時などにも汚れにくく、さらに、顔の汗などもすぐに拭くことができるタオルを提供することを目的とする。
【課題を解決するための手段】
【０００６】  本発明は、タオルが首からずれ落ることを防止するタオルであって、タオル長手方向の右端から中央方向に向かうタオル右切込部と、タオル長手方向の左端から中央方向に向かい、タオル右切込部の左側に位置するタオル左切込部と、を有し、タオル右切込部により切り込まれた一方、およびタオル左切込部により切り込まれた一方を胸元側に入れて使用することを特徴とするものである。
【発明の効果】
【０００７】  タオル生地の両端の一部をシャツの胸元側に入れるだけで簡単にずれ落ち防止策を図ることができ、胸元の汗も吸い取れ、首以外の顔などの汗も拭きやすくなった。
【図面の簡単な説明】
【０００８】
【図１】  本発明の第１実施形態におけるタオルを示す構成図
【図２】  本発明の第２実施形態におけるタオルを示す構成図
【図３】  本発明の第３実施形態におけるタオルを示す構成図
【図４】  本発明の第１実施形態〜第３実施形態におけるタオルを体に装着した状態を示す説明図
【図５】  従来の汗拭きタオルの使用方法を示す説明図
【発明を実施するための形態】
【０００９】  以下、本発明の第１実施形態を図１と図４に基づいて説明する。
【００１０】  図１においては、タオル１１は、タオル１１の長手方向に対向する両端からタオル中央部５に向かって設けたタオル左切込部６とタオル右切込部７によって、左上タオル端部１と左下タオル端部２と右上タオル端部３および右下タオル端部４を備えた構成になっている。ここで、図１は、本発明の第１実施形態におけるタオルを示す構成図である。
【００１１】  図４は、本発明のタオルを体に装着した状態を示す説明図である。同図においてタオル１１の左上タオル端部１と左下タオル端部２のどちらか一つと、右上タオル端部３と右下タオル端部４のどちらか一つとを、シャツ１２の胸元側に入れ、残りの端部をそのまま外に出した状態とする。このようにすることにより、タオル１１を体に固定でき、首からのずれを防ぐことができる。また、タオル１１の一部を胸元側に入れるので胸元の汗も吸い取れ、首以外の顔などの汗も簡単にすぐに拭きやすくなった。
【００１２】  次に本発明の第２実施形態を図２に基づいて説明する。
【００１３】  図２においては、タオル上部１１Ａとタオル下部１１Ｂとを中心部５で縫合することによって、左上タオル端部１と左下タオル端部２と右上タオル端部３および右下タオル端部４を備えた構成になっている。使用方法や効果については図１の場合と同様であるので説明は省略する。ここで、図２は、本発明の第２実施形態におけるタオルを示す構成図である。
【００１４】  次に本発明の第３実施形態を図３に基づいて説明する。
【００１５】  図３においては、タオル上部１１Ａとタオル下部１１Ｂとを中心部５で当て布９をして縫合し、左上タオル端部１と左下タオル端部２と右上タオル端部３および右下タオル端部４を備えた構成になっている。使用方法や効果については図１の場合と同様であるので説明は省略する。ここで、図３は、本発明の第３実施形態におけるタオルを示す構成図である。
【符号の説明】
【００１６】  １  左上タオル端部
２  左下タオル端部
３  右上タオル端部
４  右下タオル端部
５  タオル中央部
６  タオル左切込部
７  タオル右切込部
１１  タオル
１１Ａ  タオル上部
１１Ｂ  タオル下部
【図１】
2018000887.tif 000003
【図２】
2018000887.tif 000004
【図３】
2018000887.tif 000005
【図４】
2018000887.tif 000006
【図５】
2018000887.tif 000007
(57)【要約】【課題】背面ファスナーを自分で上げ下げするのは難しく、人によっては自分で上げる事が出来ない。また、従来品は内部に隠すもので使い勝手が不便であったが、本発明品は隠すことなく外に出して使用する事で、装飾品も兼ねる。【解決手段】本発明は、金属や糸などでできたチェーンなど紐状のもの１に留め具２を設けてファスナーのツマミに取り付けて、手の届き難い背面ファスナーを上げ下げするものである。【選択図】図５
2018000883.tif 000002
【特許請求の範囲】
【発明の詳細な説明】
【技術分野】
【０００１】  本発明は、ファスナー開閉具に関する。
【背景技術】
【０００２】  従来のファスナー上げは、ファスナーに本体を取付け洋服内に隠して使用する。
【先行技術文献１】
【非特許文献】
「ファスルー  ファスナー上げ下げ楽」  ラブリークイーン株式会社
【発明の概要】
【発明が解決しようとする課題】
【０００３】  以上に述べた従来のファスナー上げは、ファスナーに取付け洋服内に隠すものだったが、本発明は本体を隠さずに装飾品としての機能を併せ持たせたものである。
【課題を解決するための手段】
【０００４】  上記課題を達成するための第１の課題解決手段は、金属や糸などでできたチェーンなど紐状のもの１の両端に留め具２ａ（図１、４、５）を設けたことを特徴とする。
ファスナー上げとして使用後、本体に頭をくぐらすことでネックレスとして利用できる。【０００５】  また、第２の課題解決手段は、金属や糸などでできたチェーンなど紐状のもの１の片方に留め具２ａ（図２、図７）を設けたことを特徴とする。片側に留め具２ａを付けた請求項２の本体は、ファスナーのつまみに付けて上げ下げした後、そのまま垂らすことで背面を装飾できる（図２、６、８）。また、本体に２本の金属や糸などでできたチェーンなど紐状のもの１を設けた時には２本を繋ぐ留め具２ｂやスライダー４を併用することで（図７）、請求項１の両側に留め具を設けた時と同様にネックレスなどの装飾品として使用できる。また、先端に眼鏡用の留め具を使用すれば、眼鏡ホルダーとしても使用可能である。更に、留め具にリボンを設けると洋服のアクセントにもなる。【０００６】  第３の課題解決手段は、金属や糸などでできたチェーンなど紐状のもの１の両端に留め具２ａを設け、更に留め具２ａより内側に着脱部３（時に留め具２ｂも兼ねる）を設けたものである。着脱部３を設けたことで本体のパーツを部分的に取り換える事が可能になり、様々なデザインを楽しむ事が可能である（図９）。
【発明の効果】
【０００７】  本発明品には次の様な効果がある。
本発明の上記の実施形態のファスナー上げは、本体を服の中に隠すことなく装飾品として使用可能なため、利便性だけでなく見た目もお洒落である。且つ、手の不自由な方や力の弱い方でもファスナーを上げ下げし易くなるだけでなく、手間を掛けることなくお洒落を楽しむ事が可能である。
【発明の実施をするための最良の形態】
【０００８】  以下、本発明を図１から図９の具体例を用いて詳細に説明する。
【実施例１】
【０００９】  図１、２の発明品は、金属や糸などでできたチェーンなど紐状のもの１と留め具２ａで構成される。図１と図４は、本発明品に頭を通せばネックレスとして使用できる。図２と図６は、そのまま背面に垂らし装飾品として使用すればインパクトを与えられ、更に留め具などを使用する事でネックレス図７やメガネチェーンなどとして使用できる。その他には、カバンに取り付けて装飾品としても利用可能であるが、留め具２ａの種類を使い分ける事でキーホルダーとしても使用可能である。
【実施例２】
【００１０】  図３の金属や糸などでできたチェーンなど紐状のもの１に更に着脱部３を設けて部分的に着脱可能にすることで、異なるデザインの装飾品として使用可能である（図９）。
【図面の簡単な説明】
【００１１】
【図１】この発明の請求項１のファスナー上げの実施例を示す。
【図２】この発明の請求項２のファスナー上げの実施例を示す。
【図３】この発明の請求項３のファスナー上げの実施例を示す。
【図４】この発明の請求項１のファスナー上げの実施例を示す。
【図５】この発明の請求項１のファスナー上げをネックレスとして使用時の実施例を示す。
【図６】この発明の請求項２のファスナー上げの実施例を示す。
【図７】図７の連結時の実施例を示す。
【図８】この発明の請求項２のファスナー上げのその他の実施例を示す。
【図９】この発明の請求項３のファスナー上げの部分取り換え後の実施例を示す。
【図１０】この発明の請求項２のファスナー上げのメガネホルダーとしての実施例を示す。
【符号の説明】
【００１２】  １        金属や糸などでできたチェーンなど紐状のもの
２ａ、ｂ  留め具
３        着脱部
４        スライサー
５        メガネストッパー
2018000883.tif 000003
2018000883.tif 000004
2018000883.tif 000005
【手続補正書】
【提出日】平成28年11月29日(2016.11.29)
【手続補正２】
【補正対象書類名】特許請求の範囲
【補正対象項目名】全文
【補正方法】変更
【補正の内容】
【特許請求の範囲】
【請求項１】
本発明は、金属や糸などでできたチェーンなど紐状の物の両端に留め具（図）を設けたものである。
【請求項２】
本発明は、金属や糸などでできたチェーンなど紐状の物の片方に留め具（図）を設けたものである。
【請求項３】
本発明は、金属や糸などでできたチェーンなど紐状の物の両端に留め具を設け、両端の留め具より内側に着脱部分を設けたものである。
【手続補正３】
【補正対象書類名】図面
【補正対象項目名】全図
【補正方法】変更
【補正の内容】
【図１】
2018000883.tif 000006
【図２】
2018000883.tif 000007
【図３】
2018000883.tif 000008
【図４】
2018000883.tif 000009
【図５】
2018000883.tif 000010
【図６】
2018000883.tif 000011
【図７】
2018000883.tif 000012
【図８】
2018000883.tif 000013
【図９】
2018000883.tif 000014
【図１０】
2018000883.tif 000015
(57)【要約】      （修正有）【課題】皮膚と電極のずれやすい接触手段の問題点と収納性や見た目の違和感を解消する。【解決手段】回転支点１はアームプレート３と電極端２を回転支点１を中心として回転できる構造であり、弾性体を回転方向に働かせることで、電極端２を皮膚に適切な圧力で接触させることを実現している。また耳にも耳側回転支点７と耳側アームプレート８、及び、耳側電極端９を備える。弾性力を回転方向に作用させうる耳側回転支点７が耳側アームプレート８を介して耳側電極端９を皮膚に適切な圧力で接する構造であり、アームプレート３は永久磁石４がそなえられ、回転支点１を中心に回転すると相対する永久磁石５に磁力で吸着することで、電極端２とアームプレート３が収納できる構造とし、各々、回転支点１及び耳側回転支点７の設定位置は変更しうる構造も取ることができる構造である。【選択図】図１
2018000880.tif 000002
【特許請求の範囲】
【請求項１】
メガネフレームにそなえた単数または複数の弾性力をかいする回転支点と、回転支点の延長にある電極端をひたいに押しつける弾性体と、さらに電極部分をひたいに弾性体で押しつける原理を用いることを特徴とし、回転支点は移動が可能となる構造で、支点の回転あるいは支点の移動により、回転支点の延長にそなえられた電極端が収納しうることを特徴とし、収納あるいは動作での位置の固定を永久磁石による吸引でおこなえることを特徴とする脳波及び筋電測定機能を有するメガネフレーム。
【発明の詳細な説明】
【技術分野】
【０００１】
本発明は、脳波及び筋電測定機能を有するメガネフレームに関するものである。
【背景技術】
【０００２】
脳波及び筋電測定において、従来は測定電位をはかるための電極端を皮膚に適正な圧力で接触させる方法として、頭部をベルトで適切な圧力で締め付け、皮膚とベルトのあいだに電極端を挟むことで、電極端を皮膚に適切な圧力で接触させる方法があった。
【０００３】
また、ヘッドホーンにみられるアーチ形状を有するプレートのしなりから生じる圧力を利用し、電極端を皮膚に接触させるヘッドギヤー方法があった。
【０００４】
しかしながら従来の脳波測定での電極端を皮膚に接触させる方法では、装着性や収納性の難易さに難しさがあった。
【０００５】
また、振動による影響により、皮膚と電極端がずれることで、接触ノイズの発生となり、脳波の信号の解析にノイズ信号が入り込み解析が困難になる現象があった。
【０００６】
また、通常の生活では見かけない装置を頭部に装着する違和感が大きかった。
【発明の概要】
【発明が解決しようとする課題】
【０００７】
解決しようとする問題点は、皮膚と電極のずれやすい接触手段の問題点と収納性や見た目の違和感を解消する点である。
【課題を解決するための手段】
【０００８】
本発明は、メガネフレームに脳波および筋電測定のための電極端をそなえさせ、その電極端に皮膚に適正な接触圧力を作用させるべくもうけた弾性体を備えた脳波及び筋電測定機能を有するメガネフレームを実現することである。
【発明の効果】
【０００９】
本発明の脳波及び筋電測定機能を有するメガネフレームは、レンズをずれないように的確に頭部と眼球に対して位置をたもつというメガネフレームの機能に脳波測定のための電極端を備え、皮膚に対し的確な圧力で接する機能を有することで、振動によるノイズ信号の発生をおさえ、電極端の収納を可能とする機構と、固定を永久磁石の吸着力でおもなえうるもそなえることで、メガネ本来の収納性を脳波測定機能に取り入れるという利点がある。
【図面の簡単な説明】
【００１０】
【図１】図１は脳波及び筋電測定機能を有するメガネフレームの実施方法を示した説明図である。（実施例１）
【図２】図２は脳波及び筋電測定機能を有するメガネフレームの実施方法を示した説明図である。（実施例２）
【発明を実施するための形態】
【００１１】
メガネフレームにそなえた単数または複数の弾性力をかいする回転支点と、回転支点の延長にある電極端をひたいに押しつける弾性体と、さらに電極部分をひたいに弾性体で押しつける原理を用いることを特徴とし、回転支点は移動が可能となる構造で、支点の回転あるいは支点の移動により、回転支点の延長にそなえられた電極端が収納しうることを特徴とし、収納あるいは動作での位置の固定を永久磁石による吸引でおこなえることを特徴とする形態。
【実施例１】
【００１２】
図１は、本発明装置の１実施例の斜視図であって、１〜１５は、図２と同様である。
【００１３】
回転支点１はアームプレート３と電極端２を回転支点１を中心として回転できる構造であり、弾性体を回転方向に働かせることで、電極端２を皮膚に適切な圧力で接触させることを実現している。また耳にも耳側回転支点１と耳側アームプレート８、及び、耳側電極端９を備える。弾性力を回転方向に作用させうる耳側回転支点７が耳側アームプレート８を介して耳側電極端９を皮膚に適切な圧力で接する構造である。
【００１４】
アームプレート３は永久磁石４がそなえられ、回転支点１を中心に回転すると相対する永久磁石５に磁力で吸着することで、電極端２とアームプレート３が収納できる構造である。
【００１５】
各々、回転支点１及び耳側回転支点７の設定位置は変更しうる構造も取ることができ、頭部の各々の大きさの違いが著しくても、支点位置を移動することで、電極端２及び耳側電極端９の皮膚に対する適切な接触点を設定できる構造である。
【００１６】
このように回転支点自体が支点移動可能な構造であり、さらに回転支点１及び耳側回転支点７に内蔵せしめた弾性力が電極端２及び耳側電極端９に作用し皮膚に圧接する方向に働く構造であるので、頭部を耳側電極端９と、前方の電極端２で挟み込むことになり、的確に電極端を皮膚に圧接することになり、人体に振動が作用しても振動で電極端が皮膚に対してずれることがおこりにくい。  
【００１７】
上記の構造であるので、電極端２及び耳側電極端９の圧接力がピンポイントで皮膚に作用しているので、従来のベルトで頭部を締め上げる方法にくらべ、快適な装着感が得られる。
【００１８】
本発明の主体は、電極端の回転支点と回転支点に内蔵された弾性力と永久磁石を用いた電極端の収納方法と、回転支点そのものが位置移動しうる構造で、頭部を的確に複数の電極端で包み込む構造の機構構造に関してであるので、脳波及び筋電の測定に関する電子デバイスや、配線実装方法に関しての説明は省略する。
【実施例２】
【００１９】
図２の実施例は、回転支点がヨロイからテンプルにかけて移動可能な形態を示した実施例である。この実施例は回転支点の内蔵された弾性力の作用方向が回転方向に垂直な方向に作用させている実施例である。
【産業上の利用可能性】
【００２０】
本発明は脳波及び筋電測定における電極端の構造に関する説明をしたが、電極端に圧力センサーが備えられた圧力信号を得るための用途にも適用できる。
【符号の説明】
【００２１】
１    回転支点
２    電極端
３    アームプレート
４    永久磁石１
５    永久磁石２
７    耳側回転支点
８    耳側アームプレート
９    耳側電極端
１０  基板及び電池BOX１
１１  基板及び電池BOX
１２  リム
１３  テンプル
１４  パット
１５  ブリッジ
【図１】
2018000880.tif 000003
【図２】
2018000880.tif 000004
(57)【要約】      （修正有）【課題】体調の悪化による発熱時等に、冷却による効果が最も高いおでこ部分を安定的且つ継続的に冷却するための頭部に装着する器具を提供する。【解決手段】氷を入れた氷嚢１を収納できる氷嚢収納部３を、ヘッドギア２に設けたヘッドギア式氷嚢である。寝返り等によって頭部を動かしても、氷嚢１が頭部から脱落することが無く、おでこ部分を安定的且つ継続的に冷却できる。また、氷嚢の冷却効果が低下した場合には、氷嚢１の氷を入れ替える事で、継続的に冷却効果を維持する事が出来る。【選択図】図２
2018000895.tif 000002
【特許請求の範囲】
【請求項１】
ヘッドギアにて頭部に装着する事を特徴とする氷嚢。
【発明の詳細な説明】
【技術分野】
【０００１】  本発明は安定的且つ継続的に頭部を冷却する為に頭部に装着する器具に関するものである。
【背景技術】
【０００２】  従来、発熱時等に頭部を冷却する製品に、水枕・氷嚢・アイスノン・熱さまシート等があるが、どれも一長一短があり、使用時に必ず不便を感じる事がある。
【発明の概要】
【発明が解決しようとする課題】
【０００３】  「水枕」については、発熱時等に冷却による効能が最も高い「おでこ」部分を冷却する事が難しく、寝返りをする事によって、水枕そのものから頭部が脱落してしまう事がある。【０００４】  「氷嚢」については、従来の氷嚢吊りを用いた使用法であると、使用者は頭部を動かさずじっとしている事が求められ、動いてしまうと氷嚢が頭部から脱落してしまう。【０００５】  「アイスノン」については水枕同様、発熱時等に冷却による効能が最も高い「おでこ」部分を冷却する事が難しく、寝返りをする事によって、アイスノンそのものから頭部が脱落してしまう事がある。また、一定時間使用すると熱エネルギーが放出されてしまい、再び冷却するのに相当な時間を要する。さらに、未使用時は常に冷凍庫に保管せねばならず、本来冷凍庫に保管すべき食物の収容容量を著しく低下させてしまう。【０００６】  「熱さまシート」については、寝返り等を繰り返す間に剥がれてしまう事がある上、冷却効果については控え目である。また、一定時間使用すると効果が失われるが、家の在庫がなくなれば店舗にて購入しなければならない。
【課題を解決するための手段】
【０００７】  本発明は上記の問題を解決する為、「氷」を使用する氷嚢を冷却に用い、それを収納した「ヘッドギア」を頭部に装着する事で、安定的且つ継続的に頭部を冷却する事を最も主要な特徴とする。
【発明の効果】
【０００８】  本発明の「ヘッドギア式氷嚢」によれば、氷嚢を収納したヘッドギアを使用する事で、効能が高いと思われる「おでこ」部分を常に安定して冷却する事が出来る。そして、氷嚢の冷却効果が低下した際には、家庭用冷蔵庫の製氷機で大量に製造出来る氷を氷嚢に入れ替える事で、継続的に冷却効果を維持する事が出来る。また、従来「アイスノン」を使用していた場合、この製品に切り替える事で冷凍庫の容量を本来の冷凍対象の食物に振り分ける事が出来る。
【図面の簡単な説明】
【０００９】  以下に本発明の概念図を掲載するが、本発明の要旨はヘッドギアに氷嚢を組み合わせる事で、図面の形質に限定されるものではない。【００１０】
【図１】ヘッドギア式氷嚢頭部装着前図
【図２】ヘッドギア式氷嚢頭部装着時図
【符号の説明】
【００１１】１  氷嚢
２  ヘッドギア
３  氷嚢収納部
４  着脱装置（マジックテープ）
【図１】
2018000895.tif 000003
【図２】
2018000895.tif 000004
(57)【要約】【課題】ハサミによる白髪切りは黒髪を一緒に切ってしまうことが多かった。また誤って頭皮や指を傷つけてしまう恐れもあった。本発明は黒髪を切ることなく、根元から白髪を安全に切ることが出来る白髪カッターを提供する。【解決の手段】リング状で、一側が開放された開口部を有する白髪取込部の内側に、カッターの刃を埋めこんだ切断部を設ける。白髪取込部はグリップ部と接続することにより保持が容易となる。  白髪を大きく開放された開口部より白髪取込部に導き入れ、本発明を白髪の根元まで下げ、グリップ部を末端方向に引くことにより、白髪を簡単且つ安全に切断することが出来る。  本発明は、鎌で稲を刈る要領で白髪を切ることが出来る。【選択図】図３
2018000899.tif 000002
【特許請求の範囲】
【請求項１】
リング状で、一側が開放された開口部（５）を有する白髪取込部（１）の内側に、カッターを埋めこんだ切断部（２）を設けたひとり白髪カッター。
【発明の詳細な説明】
【技術分野】
【０００１】  本発明は、選別した白髪を容易に取込み、他の黒髪を切ることなく、且つ根元付近から安全にひとりで白髪を切ることができる、白髪カッターに関するものである。
【背景技術】
【０００２】  従来、白髪を切る際には、先端部分が細くなっている眉毛切りハサミ等を使用することが多かった。【０００３】  また、特許文献１の発明では、平らな金属やプラスチックなどのグリップの先端を平板状に形成し、この平板状の先端に形成した白髪を取り出すための一側が開放された細幅の溝の周縁の一部に、カミソリ等の鋭利なカッターの刃を設けたものがあり、ハサミを使用することなく、白髪を切るものもあった。
【先行技術文献】
【特許文献】
【０００４】
【特許文献１】登録実用新案第３０４１７８３号公報
【発明の概要】
【発明が解決しようとしている課題】
【０００５】  従来のハサミによる白髪切りには、次のような欠点があった。
（イ）白髪を切る際に黒髪を一緒に切断してしまう確率が高かった。
（ロ）白髪を根元から切ろうとすると、黒髪を一緒に切断する確率が更に高まった。
（ハ）ハサミを使用することにより誤って頭皮や指を傷つけてしまう恐れがあった。
特許文献１には、次のような問題点があった。
（イ）誘導部が狭く、ひとりで鏡を見ながら白髪を取込むことが難しかった。
（ロ）白髪を切断する際に、白髪がカッターの刃の部分にあたっているのかを確認する        ことが、ひとりでは難しかった。
本発明は、以上の問題点を解決するために発明されたものである。
【問題を解決するための手段】
【０００６】  リング状で、一側が開放された開口部（５）を有する白髪取込部（１）と白髪取込部（１）内側、にカッターを埋めこんだ切断部（２）、白髪取込部（１）と接続し、片手にて保持するためのグリップ部（３）、白髪取込部（１）とグリップ部（３）を接続するための接続部（４）、以上の構成によりなる、ひとり白髪カッター。
【発明の効果】
【０００７】  特許文献１の発明では、白髪を取込む誘導部が狭く、取込みが容易ではなかったが、本発明は白髪取込部（１）の開口部が広いため、選別した白髪をフックに引っ掛ける感覚で、鏡を見ながらひとりで容易に白髪取込部（１）内に取込むことが出来る。
また、本発明を根元まで下げる際には、他の黒髪に注意する必要がない。
白髪取込みから切断時までの動きについては、特許文献１では誘導部から切断部まで白髪をＵ字型に誘導する必要があったが、本発明は白髪を取込み、グリップ部（３）の末端方向に引くだけで、白髪を容易に切断することが可能となる。
【図面の簡単な説明】
【０００８】
【図１】本発明の平面図
【図２】本発明の側面図
【図３】本発明の白髪取込み部の拡大図
【図４】本発明の実施手順を示す状態図
【図５】本発明の実施手順を示す状態拡大図
【発明を実施するための形態】
【０００９】  以下、本発明の実施の形態を説明する。
（イ）リング状で、一側が開放された開口部（５）を有する白髪取込部（１）の内側に        、カッターの刃を埋めこんだ切断部（２）を設ける。
（ロ）切断部（２）は、グリップ部（３）と接続する側の反対側に設ける。
（ハ）白髪取込部（１）はその一辺を、接続部（４）によってグリップ部（３）と接続        する。
（ニ）本発明、特に白髪取込部（１）はある程度重量のある方が他の毛髪を押さえるこ        とが容易で、根元まで下げやすい。
（ホ）白髪取込部（１）にはフタを付ける、または白髪取込部（１）がグリップ部（３        ）内に収納できるような形態にすると、汚れ等が付きにくくなる。
（ヘ）本発明の各構成の素材は、金属、プラスチック、木材、ステンレス、セラミック        など特に限定しない。
本発明は以上の構成よりなる。
本発明を使用する場合は、選別した白髪（６）を本発明を保持する手以外の手の、２本以上の指で挟んでまっすぐに伸ばし、大きく開放された開口部（５）より白髪取込部（１）に切断したい白髪（６）を導き入れる。
本発明本体を根元まで下げ、グリップ部（３）を末端方向に引いて白髪（６）を切断する。
切断する際に白髪（６）を保持する部分は根元に近い方が、切断を容易にする。
本発明は、鎌で稲を刈る要領で白髪を切ることができる。
本発明は開口部（５）を大きく取ったことにより、選別した白髪（６）をひとりでも容易に白髪取込部（１）に導き入れることが出来るメリットが生まれ、更に切断部（２）の位置を工夫したことにより、下げて引くという人間がよく行う動きで白髪（６）を切断出来ることで、習熟する必要がなく、初めてでも違和感を感じず使用することが可能となった。
【符号の説明】
【００１０】  １  白髪取込部
２  切断部（カッター）
３  グリップ部
４  接続部
５  開口部
６  白髪
【図１】
2018000899.tif 000003
【図２】
2018000899.tif 000004
【図３】
2018000899.tif 000005
【図４】
2018000899.tif 000006
【図５】
2018000899.tif 000007
(57)【要約】【課題】布団カバーの取り替えはカバーと布団がずれないように取り付けてあるカバーの紐を布団に付いているループに入れたり外したりと手間のかかる家事である。【解決手段】略楕円形のプレートにおいて、長手の一端側に、布団カバーに付いている固定紐を通す紐通し孔を設けてあり紐通し孔から少し間隔を設けて他端側へ向かって、端縁手前まで開口した略Ｕ字状の切り込みで、ループ差し掛けベロが設けてあり、ベロの根元両側が半円状に外側へ膨らんだループ係着孔を成している。以上を特徴とする布団カバー留め具である。【選択図】図１
2018000898.tif 000002
【特許請求の範囲】
【請求項１】
略楕円形のプレートにおいて、長手の一端側に、布団カバーに付いている固定紐を通す紐通し孔を設けてあり
紐通し孔から少し間隔を置いて他端側へ向かって、端縁手前まで開口した略Ｕ字状の切り込みで、ループ差し掛けベロが設けてあり、
ベロの根元両側が半円状に外側へ膨らんだループ係着孔を成している。
以上を特徴とする布団カバー留め具である。
【発明の詳細な説明】
【技術分野】
【０００１】  本発明は布団カバーが簡単に着脱できることを目的とした布団カバーに関するものである。
【技術背景】
【０００２】  従来、布団カバーは布団を衛生的に使用するために布団にかけてあるもの、布団に取り付けてある４〜８ケ所の留め紐を、カバーの紐で結び布団とカバーを一体化して使用するものである。
【先行技術文献】
【発明の概要】
【発明が解決しようとする課題】
【０００４】  布団カバーを夏、冬の取り替えや日常の洗濯でカバーの７取り替えに布団一枚に４〜８ケ所のカバーの紐を留めるループ（カバーの紐入れ）が付けてあり、そのループに紐を通して取り付けるのが手間のかかる家事である。
まして、ループは小さいものもあり紐を通すのが大変である。
本発明は以上の問題を解決するものである。
【問題を解決するための手段】
【０００５】  略楕円形のプレートにおいて、長手の一端側に、布団カバーに付いている固定紐を通す紐通し孔が設けてあり、紐通し孔から少し間隔を置いて他端側へ向かって、端縁手前まで開口した略Ｕ字状の切り込みで、ループ差掛けが設けてあり、ベロの根元両側が半円状に膨らんだループ係着孔を成している。
以上を特徴とする布団カバー留め具である。
本発明は、以上の問題を解決するためになされたものである。
【発明の効果】
【０００６】  布団カバーの着脱は家事として手間のかかる仕事であるが、この、布団カバー留め具を取り付けることにより楽になる。
本発明は、布団カバーの取り替えが簡単にできることである。
【図面の簡単な説明】
【０００７】
【図１】本発明の斜視図
【図２】本発明の使用例を示す斜視図
【図３】本発明の別の使用例を示す斜視図
【図４】本発明の更に使用例を示す斜視図
【発明を実施するための形態】
【０００８】  以下、本発明の使用の方法。
（イ）紐通しの孔１にカバーの紐を通して結び固定させる。
（ロ）切り込みベロのベロ先から布団のループを差し掛ける進める。
（ハ）ベロの根元に半円状に切り込み膨らんだ孔に布団のループを差し込み安定させる。
本発明を使用するときは１の孔に布団カバーの紐を通して結び、固定させる。
次に切り込みベロを少し持ち上げて布団のループに差し掛けベロの根元のループ係着孔にるループをいれる。
【符号の説明】
【０００９】  １  紐通し孔
２  切り込みベロ
３  ループ係着孔
４  固定紐
５  布団カバー
６  布団
【図１】
2018000898.tif 000003
【図２】
2018000898.tif 000004
【図３】
2018000898.tif 000005
【図４】
2018000898.tif 000006
(57)【要約】      （修正有）【課題】腰を曲げないで歩、コンパクトで収容に場所を取らず、高さが十分な、道路交通法上の歩行補助車を提供する。【解決手段】車幅を広げる方法として、車体全体をＸ字型に構成し、Ｘ字の２線分の交点を支点として線分を回転させ、縦長や横長のＸ字に変形する構造とし、ワンタッチで車幅を縮小して、収容に場所を取らない。ハンドルの高さを保ち、腰を曲げないで歩けるので楽になる。利点として、交通事故の被害の軽減、横振れ歩行の防止、他の通行者の安心感、雨傘日傘の設置、等があげられる。【選択図】図３
2018000897.tif 000002
【特許請求の範囲】
【請求項１】
道路交通法上の歩行補助車であって、図２のように、平面図上で仮想される２本の交差線分の４端に車輪を有し、線分の交点に当たる場所は回転可能な形態で固定して２線分のなす角度を調節し、以て図１のように車幅（左右の車輪の間隔をいう。以下同じ。）を狭くして収容できる歩行補助車。
【発明の詳細な説明】
【技術分野】    本発明は、道路交通法上の歩行補助車に関するものである。
【背景技術】    市販されている歩行補助車は、荷物箱にキャスターとハンドルを付けたようなもので、箱は椅子としても使える便利でコンパクトなものである。
【発明の開示】
【発明が解決しようとする課題】    市販の歩行補助車は、コンパクトで収容に場所を取らないが、高さが不足する。転倒防止のため、車幅が狭いと必然的に高さの制限を受けるからである。ハンドルが低いと中腰歩行になるが、これは想像以上に苦痛である。さらに、箱車を腰を屈めて押す姿は貧相でもある。このようなことから、その便利さを知りながら利用を控える人も多いのではないだろうか。
一方、車幅を広くすると収容場所の制限を受ける。例えば、自転車での買物に不安を覚えたアパート住まいのひとが、場所を取る歩行補助車を駐輪場に置くのは少し気がひける。
安全を害することなくハンドルの高さを保ち、かつ収容に場所を取らない歩行補助車が求められる。
【課題を解決するための手段】    車幅を広くする方法として、車軸を引っ張り伸ばしたり屈伸させたりすることが考えられるが、これらをワンタッチの操作でするには相当複雑な構造になりそうで、採用できない。そこで、車体全体をＸ字型に構成し、Ｘ字の２線分の交点を支点として線分を回転させ、縦長や横長のＸ字に変形する構造とする。車体後部を引っ張り広げる一動作で解決する。
【発明の効果】    腰を曲げないで歩けるので楽で、見た目にも良い。さらに、図３のように歩行者を包む構成にしておけば次のような利点がある。▲１▼交通事故の被害の軽減、▲２▼横振れ歩行の防止、▲３▼他の通行者の安心感、▲４▼雨傘日傘の設置、▲５▼その他設備しだいで冬のスポーツ観戦。着替えや用便まで。
【発明を実施するための最良の形態】及び
【実施例】    図３のように歩行者を包む形態が良い。収容時に長さ１１０センチメートル、幅５５センチメートルのものが、幅１００センチメートルまで連続的に変えられる。
【産業上の利用可能性】    技術的には、町工場で十分可能。需要の点では、特に高齢男子の新参入が予想される。
【図面の簡単な説明】
【図１】  収容時の平面図（抽象図）
【図２】  使用時の平面図（抽象図）
【図３】  歩行中の平面図
【図１】
2018000897.tif 000003
【図２】
2018000897.tif 000004
【図３】
2018000897.tif 000005
(57)【要約】【課題】鳥インフルエンザ対策としては、最も好ましい方法としては事前の給餌による免疫賦活がある。従来の鳥インフルエンザ対策としての予防用の飼料添加剤はいくつかあるがその防疫力は１００％とは言えず、実際に使用するには不安があるか、コストがかかるため現場では採用されていなかった。【解決手段】ハズを低温状態で５ミクロン以下の微粉末にした上これに給餌しやすくするためのミミズの粉末を加え、低温で寒天と混合してゲル化したものを飼料添加剤とし、これを飼料と混合して給餌することにより、鳥インフルエンザへの免疫力を賦活する。【特許請求の範囲】
【請求項１】
ハズ（巴豆）の実を生のまま、特製石臼で非加熱状態で５ミクロン以下の微粒子にして、ハズの有効成分が分解しない低温加熱状態（４０℃以上５８℃以下）でゾル化したテングサ由来の寒天と混合した後、温度を下げてゲル化させた鳥インフルエンザ免疫賦活機能を持った鳥用飼料の添加剤。
【請求項２】
鳥が食餌しにくいハズの添加剤を添加した飼料を鳥が好んで食べるようにミミズを生のままあるいは乾燥したものを前述石臼で５ミクロン以下の微粒子として、前記の請求項１の鳥インフルエンザ免疫賦活機能を持ったハズの有効成分と寒天との混合時に食欲増進剤として混入した鳥飼料の添加剤。
【発明の詳細な説明】
【技術分野】
【０００１】本発明は、鳥インフルエンザ撲滅のため、コストや手間が掛かるワクチン接種ではなく、鳥自体のインフルエンザへの免疫力を事前に賦活するための鳥用飼料を与える方法に関する。
【背景技術】
【０００２】近年、全世界各地で鳥インフルエンザの被害が相次いでおり、その防疫のため発生地周辺毎に数百万羽単位で鶏の殺処分が行われており、養鶏業、養鶏卵業は壊滅的な打撃を受け、鳥食肉供給が不可能になるのではと不安視されている。また一部ではヒトへの感染や死亡例も発生しており、パンデミック事態の発生の心配もされている。
人間への鳥インフルエンザ治療薬は既にタミフルなどが開発され用いられているがその効果は完全ではなく、今のところウガイや手洗いなどで罹患を予防する以外の対策はない。また鳥の罹患への対策としては鳥へのワクチンはまだ導入できていない。当面は金網などによって物理的に野鳥や小動物から隔離しウィルス感染を防ぐ対策か早期の感染発見による早期殺処分と感染拡大規制に頼る以外、方法はないのが現状である。【０００３】鳥への対策の一つとして鳥の飼料へ抗ウイルス薬剤や、免疫力賦活栄養剤を添加する方法がある。現在まで鳥インフルエンザに関する飼料添加剤は下記先行文献があるが、いずれも実地で採用されているものはまだない。
文献１で使用する枯草菌とプロポリスとクエン酸はウイルス不活剤であってテスト結果ではウイルス消失率は９０％前後であり１００％ではなく、かつプロポリスは高価な原料であるという問題がある。文献２で使用する牡蠣殻粉末はテストでは市販の消毒剤の消石灰と同等の抗ウイルス活性があることから消毒剤としては使用可能であるが鳥へ１００％の免疫賦活を与える飼料添加物ではない。文献３は９つの生薬を組み合わせた鳥インフルエンザ治療薬及び予防薬で注射や錠剤，経口溶液、ペレットなど種々の剤型があり経口溶液でのテストでは治癒率は、９７．５％と好成績であるがこれも１００％ではなくかつ原料の生薬の原価が高価であり普及していない。
【先行技術文献】
【特許文献】
【０００４】
【特許文献１】特開２０１１−２０５９５２号公報
【特許文献２】特開２０１１−０１２０００号公報
【特許文献３】特開２０１１−２０７８９５号公報
【発明の概要】
【発明が解決しようとする課題】
【０００５】自然物の原料を使用する鳥用飼料添加剤を製造する工程で油分や酵素等の生理活性有効成分を分解しないことが最も求められる。既存の漢方薬加工方法のように高温での加熱加圧や煮沸による溶解やアルコール類等の溶媒による抽出の工程では有効成分が分解し、効果の低い添加剤しか得られない。【０００６】また低温抽出を可能とするには、事前に使用する原料の細胞膜をひとつづつ物理的に粉砕して、有効成分を取りだしておかなければならない。【０００７】添加物は鳥の飼料として鳥の嗜好性が高いものでかつ、低コストの原料を使用しなければならない。
【課題を解決するための手段】
【０００８】有効成分を取り出すためには原料のひとつづつの細胞の細胞膜を低温で５ミクロン以下に破壊しなければならない。原材料としては東南アジア原産のトウダイグサ科ハズ属のハズ（巴豆）（Ｃｒｏｔｏｎ  ｔｉｇｌｉｕｍ）を使用する。ハズの実を生のまま、本出願者の一人である湯澤猛の発明によるひき臼（特開平１２−１１９１９１粉末レイシ製造用石臼及びその石臼を使用した粉末レイシの製造方法）により粉砕する。一般にこのような粉砕をおこなう場合、凍結乾燥を行うが、本有効成分はその凍結乾燥気化熱による温度上昇ででさえも分解するため上記以外の方法は不可能である。【０００９】ハズは中国では古来、漢方薬の寫下剤として使われておりその効果がかなり強いため日本国内では劇薬と指定されている。極めて辛みが強いため飼料への添加の際、添加剤へ直接鳥の大好物であるミミズを生あるいは乾燥状態で５ミクロン以下の微粒子に粉砕したものを混入すれば鳥の飼料への食いつきは良くなる。【００１０】別途にテングサ由来の寒天を作り置き、ゲル化していないゾルの状態で（およそ４０℃以上で寒天製品によって温度は変動）かつ免疫賦活有効成分が分解しない温度以下（最高限度およそ５８℃）まで下げておいて、これと混合する。そのゾルの状態で小分け容器に注入した後、冷却してゲル化して製品とする。
【発明の効果】
【００１１】鳥インフルエンザへの免疫賦活飼料添加剤は孵化後、幼鳥が摂取しはじめる通常の成鳥用飼料から給餌すれば、鳥インフルエンザへの免疫が賦活される。その後、週に１回程度の給餌で免疫力は維持される。
【発明を実施するための形態】
【００１２】免疫賦活飼料添加剤は鳥への給餌の際、飼料重量比で１％程度を飼料に適宜ミキサーで混合添加して与える。
(57)【要約】【課題】従来のヘビ忌避剤は即効性がなく、かつ効果の永続性がなく、ヘビがすぐに馴化してしまうものが多く、問題があった。人間にとっての悪臭や刺激あるものがヘビにとっても苦痛との思い込みでこれらが忌避有効成分であるとして利用されてきたための問題であった。また、有効成分とされる化合物の中には環境汚染をおこしたり、農作物の生育阻害を起こしたり、人体に有害であったり、また悪臭など不快感を与えるものもあり、これらの問題のない忌避有効成分を作成する必要があった。【解決手段】生渋柿を低温で５ミクロン以下の微粒子にすればヘビの忌避有効物質が得られる。または、生のままかまたは天日で低温乾燥したナイルティラピアの５ミクロン以下の微粒子とした後、低温加工すればで忌避有効物質が得られる。これらをゲル化して揮散をコントロ‐ルすれば永続性がある忌避剤として使用可能となる。【選択図】なし【特許請求の範囲】
【請求項１】
生の渋柿をヘタを付けたまま、特製石臼で非加熱状態で５ミクロン以下の微粒子にして、テングサ由来の寒天を忌避有効成分が分解しない低温加熱状態（４０℃以上５８℃以下）のゾルと混合した後、温度を下げてゲル化させた蛇忌避剤。
【請求項２】
淡水魚のティラピアを生のまままたは天日で低温乾燥したものを前記特製石臼で非加熱状態で５ミクロン以下の微粒子とし、テングサ由来の寒天を忌避有効成分が分解しない低温加熱状態（４０℃以上５８℃以下）のゾルと混合した後、温度を下げてゲル化させた蛇忌避剤。
【請求項３】
ヘビ忌避有効成分を含むゲル化した寒天からの有効成分及び水分の揮散を一定レベルで抑制するための多くの針穴をあけた合成樹脂フィルムの内蓋もしくは袋を内部に備えた密封が可能な容器で、容器の外蓋を取り外して使用することにより忌避有効成分及び水分の揮散を穏やかにコントロールできる蛇忌避剤。
【発明の詳細な説明】
【技術分野】
【０００１】本発明は、ヘビの忌避方法及び忌避剤に関し、環境や野菜等の作物を有害物質で汚染することなく、また人体に害を及ぼすことなく安全に優れた忌避効果を即効的にかつ持続的に安価に提供する忌避方法及び忌避剤に関する。
【背景技術】
【０００２】近年、ヘビによる咬害の被害が相次いでおり、日本国内では年平均約３０００件発生し、死亡に至るものは年平均１０名いるという。現在まで様々なヘビ撃退法が実施されてきた。生活圏でのヘビ忌避方法は、殺蛇剤、殺虫剤、殺鼠剤等をはじめとする化学品による薬剤や唐辛子やわさびのような強い刺激物またはニンニクやニラやネギや樟脳や木タール、木酢液のような強い臭気を持った物質を散布または土中に埋設したり、ニームや漢方の生薬から抽出したエキスを散布するなどが行われてきた。【０００３】しかしながらこれらの方法はいづれも主として他の害獣忌避をも目的として開発されていて、そもそもヘビに対しての忌避効果が弱く即効性がなかったり、生薬のように原料コストが高かったり、周辺環境を化学物質で汚染したり、農作物を生育阻害したり、また人体に対しては刺激物が目その他の粘膜に付着した場合有害で安全でなかったり、強い臭気が人に不快感を与えるなど使用しにくいという様々な問題があった。
【先行技術文献】
【特許文献】
【０００４】
【特許文献１】特開２０１４−２１０７９１号公報
【特許文献２】特開２０１２−０８２１６４号公報
【特許文献３】特開２００４−３１５４８４号公報
【特許文献４】特開２００４−１３７１５６号公報
【特許文献５】特開平０５−１９４１２５号公報
【発明の概要】
【発明が解決しようとする課題】
【０００５】自然物の原料を使用する忌避剤を製造する工程では酵素等の忌避有効成分を分解しないことが最も求められる。既存の加工方法のように高温での加熱加圧や煮沸による溶解やアルコール類等の溶媒による抽出の工程では有効成分が分解し、効果の低い忌避剤しか得られない。【０００６】また低温抽出を可能とするには、事前に使用する原料の細胞膜をひとつづつ物理的に粉砕して、有効成分を取りだしておかなければならない。【０００７】環境汚染がなく、作物の発育阻害がなく、人体への刺激などの影響がない天然物で、悪臭もなくかつ低コストの原料を使用しなければならない。【０００８】製品となった忌避剤は、数か月くらいの長期使用が可能でなければならないため、成分揮散が緩やかでなければならない。
【課題を解決するための手段】
【０００９】有効成分を取り出すためには原料のひとつづつの細胞の細胞膜を低温で５ミクロン以下に破壊しなければならない。原材料として生の渋柿をヘタのついたまま、本出願者の一人である湯澤猛の発明によるひき臼（特開平１２‐１１９１９１粉末レイシ製造用石臼及びその石臼を使用した粉末レイシの製造方法）により粉砕する。一般にこのような粉砕をおこなう場合、凍結乾燥を行うが、忌避有効成分はその凍結乾燥気化熱による温度上昇ででさえも分解するため上記以外の方法は不可能である。市販のカキシブ製品は加熱製造されており忌避有効成分は含有していない。【００１０】原料としては生渋柿に代わるものとして淡水魚のシクリッド科ナイルティラピア（日本国内で養殖中）を使用しても効果的なヘビ忌避成分が得られる。この場合、使用するティラピアは生の状態か天日で低温乾燥して干物にしたものをミキサーで粗びきした上で前述ひき臼で５ミクロン以下に粉砕する。【００１１】別途にテングサ由来の寒天を作り置き、ゲル化していないゾルの状態（およそ４０℃以上で寒天製品によって温度は変動）でかつ忌避有効成分が分解しない温度以下（最高限度およそ５８℃）まで下げておいて、これと混合する。そのゾルの状態で小分け容器に注入した後、冷却してゲル化して製品とする。【００１２】容器は深さ２ｃｍ、縦５ｃｍ、横６ｃｍで６０ｍｌの容量の直方体とし寒天を一杯に充填する。容器にはゲルの寒天からの忌避有効成分と水分の揮散を抑制するため数多くの微細な針穴があけられた合成樹脂膜の内カバーまたは内袋が寒天をカバーしており、使用時に外ふたまたは外箱を外して使用する。
【発明の効果】
【００１３】ヘビが馴化しない忌避有効成分が十分含有されているため即効性があると同時に永続性がある。また１箱６０ｍｌで半径３０ｍの範囲を６か月程度カバーするため忌避剤使用量は比較的少量で済むし設置作業量も少なく簡単で安全。設置後も環境汚染がなく、無害で悪臭もなく、人にも安全で不快感をあたえない。
【発明を実施するための形態】
【００１４】ヘビの出現が確認された場所ではその周辺に忌避剤容器のふたをはずして放置する。さらに予防のための場合は、半年ごとに６０メートル毎に忌避剤を地上にて放置する。